(57)【要約】【課題】画像の解像度の低下を招くことなく、モアレによる影響を抑制することができる画像処理方法及び画像処理装置等を提供する。【解決手段】フォーカスして撮像する際に発生するモアレＭが発生した状態で画像を撮像し、撮像した画像からモアレＭに相当する空間周波数成分をハイパスフィルタ１２で除去して第１画像を生成し、カメラ２でデフォーカスして画像を撮像し、撮像された画像にローパスフィルタ１３を適用して第２画像を生成し、第１画像と第２画像とを合成してモアレＭを消失又は抑制させた第３画像を生成する。【選択図】図１
2016009493.tif 000002
【特許請求の範囲】
【請求項１】
ピクセルが周期的に配列された表示パネルの表示画像を画素が周期的に配列されたカメラで撮像し、該カメラの撮像画像を処理する画像処理方法において、
前記カメラで前記表示画像をフォーカスして撮像するフォーカス画像撮像ステップと、
該フォーカス画像撮像ステップの撮像画像にハイパスフィルタを適用し、該撮像画像に生じたモアレに対応する空間周波数成分を除去又は低減させて第１画像を生成する第１画像生成ステップと、
前記カメラで前記表示画像をデフォーカスして撮像するデフォーカス画像撮像ステップと、
該デフォーカス画像撮像ステップの撮像画像にローパスフィルタを適用して第２画像を生成する第２画像生成ステップと、
前記第１画像と第２画像とを合成して前記モアレを消失又は抑制させた第３画像を生成する第３画像生成ステップと、
を備えることを特徴とする画像処理方法。
【請求項２】
前記ハイパスフィルタの透過率と前記ローパスフィルタの透過率との和が任意の空間周波数において一定値であることを特徴とする請求項１に記載の画像処理方法。
【請求項３】
前記表示パネルの所定のピクセルが点灯して構成された第１アライメントパターンをフォーカスして撮像し、該第１アライメントパターンが投影される前記カメラの画素を検出して、前記フォーカス画像撮像ステップの撮像時における前記表示パネルのピクセルと前記カメラの画素との対応関係の算出に供する第１アライメントステップと、
前記表示パネルの所定のピクセルが点灯して構成された第２アライメントパターンをデフォーカスして撮像し、該第２アライメントパターンが投影される前記カメラの画素を検出して、前記デフォーカス画像撮像ステップの撮像時における前記表示パネルのピクセルと前記カメラの画素との対応関係の算出に供する第２アライメントステップと、
を備えることを特徴とする請求項１または２に記載の画像処理方法。
【請求項４】
画素が周期的に配列され、ピクセルが周期的に配列された表示パネルの表示画像を撮像するカメラを備え、該カメラによる撮像画像を処理する画像処理装置において、
前記カメラによって前記表示画像がフォーカスされて撮像された撮像画像からモアレに対応する空間周波数成分を除去又は低減して第１画像を生成するハイパスフィルタと、
前記カメラによってデフォーカスされて撮像された撮像画像から第２画像を生成するローパスフィルタと、
前記第１画像と第２画像とを合成して前記モアレを消失又は抑制させた第３画像を生成する画像合成部と、
を備えることを特徴とする画像処理装置。
【請求項５】
前記ハイパスフィルタの透過率と前記ローパスフィルタの透過率との和が任意の空間周波数において一定値であることを特徴とする請求項４に記載の画像処理装置。
【請求項６】
前記表示パネルの所定のピクセルが点灯して構成された第１アライメントパターンをフォーカスして撮像し、該第１アライメントパターンが投影される前記カメラの画素を検出して、前記フォーカス画像撮像ステップの撮像時における前記表示パネルのピクセルと前記カメラの画素との対応関係を算出し、
前記表示パネルの所定のピクセルが点灯して構成された第２アライメントパターンをデフォーカスして撮像し、該第２アライメントパターンが投影される前記カメラの画素を検出して、前記デフォーカス画像撮像ステップの撮像時における前記表示パネルのピクセルと前記カメラの画素との対応関係を算出する制御部、
を備えることを特徴とする請求項４または５に記載の画像処理装置。
【発明の詳細な説明】
【技術分野】
【０００１】
本発明は、画像処理方法及び該画像処理方法を実行する画像処理装置、特に、ピクセルが周期的に配列された表示パネルに表示された画像を、画素が周期的に配列されたカメラで撮像し、撮像した画像からモアレを除去又は抑制する画像処理方法及びこの画像処理方法を実行する画像処理装置に関する。
【背景技術】
【０００２】
液晶パネルや有機ＥＬパネル等の表示パネルでは、光の三原色であるＲ（赤）、Ｇ（緑）、Ｂ（青）のサブピクセルを有するピクセルの集合によって、画像や映像が表示される。このような表示パネルでは、一般的に、製造工程における加工精度のバラツキによって、表示ムラが発生することがある。この表示ムラは、輝度ムラと色ムラとに大別される。【０００３】
輝度ムラは、近接するピクセルの間で絶対的な明るさに差がある場合に発生する。一方、色ムラは、個々のピクセルにおけるＲ、Ｇ、Ｂの相対的な明るさの関係が、近接するピクセル間で異なる場合に発生する。【０００４】
特に、有機ＥＬパネルは、ピクセルごとの有機化合物層の厚さを均一にすることが困難なことから、有機化合物層の層厚が不揃いとなることに起因する表示ムラが生じやすいという特性が存在する。【０００５】
このような対策として、特許文献１には、表示パネルの各ピクセルを点灯させ、固体撮像素子を備えたカメラで撮像して各ピクセルの輝度を測定することによって表示ムラを検知し、検知した表示ムラを補正して表示パネルの画質を改善することを目的とした輝度測定方法が提案されている。【０００６】
しかし、ピクセルが周期的に配列された表示パネルの画像を、撮像面上の画素が周期的に配列された固体撮像素子カメラで撮像する場合は、ピクセルが配列される周期と画素が配列される周期との間にズレが生じることに起因して、干渉縞とも称されるモアレが、撮像された画像に発生することとなる。【０００７】
モアレが発生した撮像画像に基づいてピクセルの輝度を測定すると、表示パネル上でモアレに対応する位置にあるピクセルの輝度が暗く測定されること等によって輝度を正確に測定することができないことから、モアレによる影響を抑制する必要がある。【０００８】
このような対策として、特許文献２には、モアレが発生している画像の空間軸の信号を周波数軸の信号に変換し、周波数軸の信号からモアレに相当する周波数の成分を除去し、しかる後、モアレに相当する周波数の成分を除去した周波数軸の信号を空間軸の信号に再度変換する方法が開示されている。【０００９】
このモアレの除去方法によれば、一定の周期を有するモアレが発生している画像の空間軸の信号を、周波数軸の信号に変換することによって、モアレに相当する周波数の成分を除去することができる。
【先行技術文献】
【特許文献】
【００１０】
【特許文献１】特開２０１０−２０３８８９号公報
【特許文献２】特開２００８−０１１３３４号公報
【発明の概要】
【発明が解決しようとする課題】
【００１１】
しかし、上記特許文献２のモアレの除去方法によると、モアレに相当する周波数の成分のみを除去することは困難であって、モアレを除去する際に、モアレに相当する周波数の成分以外の周波数の成分をも除去してしまうことから、これに起因して画像の解像度が低下することが懸念される。【００１２】
本発明は、上記事情に鑑みてなされたものであり、画像の解像度の低下を招くことなく、モアレによる影響を抑制することができる画像処理方法及びこの画像処理方法を実行する画像処理装置を提供することを課題とするものである。
【課題を解決するための手段】
【００１３】
上記課題を解決するための請求項１に記載の発明による画像処理方法は、ピクセルが周期的に配列された表示パネルの表示画像を画素が周期的に配列されたカメラで撮像し、該カメラの撮像画像を処理する画像処理方法において、前記カメラで前記表示画像をフォーカスして撮像するフォーカス画像撮像ステップと、該フォーカス画像撮像ステップの撮像画像にハイパスフィルタを適用し、該撮像画像に生じたモアレに対応する空間周波数成分を除去又は低減させて第１画像を生成する第１画像生成ステップと、前記カメラで前記表示画像をデフォーカスして撮像するデフォーカス画像撮像ステップと、該デフォーカス画像撮像ステップの撮像画像にローパスフィルタを適用して第２画像を生成する第２画像生成ステップと、前記第１画像と第２画像とを合成して前記モアレを消失又は抑制させた第３画像を生成する第３画像生成ステップと、を備えることを特徴とする。【００１４】
この構成によれば、フォーカス画像撮像ステップでフォーカスして撮像された撮像画像にハイパスフィルタを適用してモアレに対応する空間周波数成分を除去又は低減して第１画像を生成し、デフォーカス画像撮像ステップでデフォーカスして撮像された撮像画像にローパスフィルタを適用して第２画像を生成する。【００１５】
このように生成された第１画像と第２画像とが合成されて、第１画像からモアレが除去又は低減されることによって損なわれた空間周波数成分が、ローパスフィルタを適用して生成された第２画像によって補間されて、モアレを消失又は抑制させた第３画像が生成される。【００１６】
従って、表示パネルの輝度を測定するに際してモアレが適切に除去されたうえで、モアレの除去に伴って失われた空間周波数成分が補われて解像度が良好な第３画像を生成することができる。【００１７】
請求項２に記載の発明は、請求項１に記載の画像処理方法において、前記ハイパスフィルタの透過率と前記ローパスフィルタの透過率との和が任意の空間周波数において一定値であることを特徴とする。【００１８】
この構成によれば、ハイパスフィルタの透過率とローパスフィルタの透過率との和が、任意の空間周波数において一定値となる。従って、空間周波数領域における空間周波数成分の抽出漏れがないことから、空間周波数成分の損失のない解像度の高い第３画像を生成することができる。【００１９】
請求項３に記載の発明は、請求項１または２に記載の画像処理方法において、前記表示パネルの所定のピクセルが点灯して構成された第１アライメントパターンをフォーカスして撮像し、該第１アライメントパターンが投影される前記カメラの画素を検出して、前記フォーカス画像撮像ステップの撮像時における前記表示パネルのピクセルと前記カメラの画素との対応関係の算出に供する第１アライメントステップと、前記表示パネルの所定のピクセルが点灯して構成された第２アライメントパターンをデフォーカスして撮像し、該第２アライメントパターンが投影される前記カメラの画素を検出して、前記デフォーカス画像撮像ステップの撮像時における前記表示パネルのピクセルと前記カメラの画素との対応関係の算出に供する第２アライメントステップと、を備えることを特徴とする。【００２０】
この構成によれば、第１アライメントステップにおいて、フォーカス画像撮像ステップの撮像時の表示パネルのピクセルとカメラの画素とが適切に結びつけられるとともに、第２アライメントステップにおいて、デフォーカス画像撮像ステップの撮像時の表示パネルのピクセルとカメラの画素とが適切に結びつけられる。【００２１】
これにより、ピクセルと画素との対応関係の適切な結びつけが行われて第１画像及び第２画像が生成されることから、良好な第３画像を生成することができる。【００２２】
上記課題を解決するための請求項４に記載の発明による画像処理装置は、画素が周期的に配列され、ピクセルが周期的に配列された表示パネルの表示画像を撮像するカメラを備え、該カメラによる撮像画像を処理する画像処理装置において、前記カメラによって前記表示画像がフォーカスされて撮像された撮像画像からモアレに対応する空間周波数成分を除去又は低減して第１画像を生成するハイパスフィルタと、前記カメラによってデフォーカスされて撮像された撮像画像から第２画像を生成するローパスフィルタと、前記第１画像と第２画像とを合成して前記モアレを消失又は抑制させた第３画像を生成する画像合成部と、を備えることを特徴とする。【００２３】
この構成によれば、フォーカス画像撮像ステップでフォーカスして撮像された撮像画像にハイパスフィルタを適用してモアレに対応する空間周波数成分を除去又は低減して第１画像を生成し、デフォーカス画像撮像ステップでデフォーカスして撮像された撮像画像にローパスフィルタを適用して第２画像を生成する。【００２４】
このように生成された第１画像と第２画像とが合成されて、第１画像からモアレが除去又は低減されることによって損なわれた空間周波数成分が、ローパスフィルタを適用して生成された第２画像によって補間されて、モアレを消失又は抑制させた第３画像が生成される。【００２５】
従って、表示パネルの輝度を測定するに際してモアレが適切に除去されたうえで、モアレの除去に伴って失われた空間周波数成分が補われて解像度が良好な第３画像を生成することができる。【００２６】
請求項５に記載の発明は、請求項４に記載の画像処理装置において、前記ハイパスフィルタの透過率と前記ローパスフィルタの透過率との和が任意の空間周波数において一定値であることを特徴とする。【００２７】
この構成によれば、ハイパスフィルタの透過率とローパスフィルタの透過率との和が、任意の空間周波数において一定値となる。従って、空間周波数領域における空間周波数成分の抽出漏れがないことから、空間周波数成分の損失のない解像度の高い第３画像を生成することができる。【００２８】
請求項６に記載の発明は、請求項４または５に記載の画像処理装置において、前記表示パネルの所定のピクセルが点灯して構成された第１アライメントパターンをフォーカスして撮像し、該第１アライメントパターンが投影される前記カメラの画素を検出して、前記フォーカス画像撮像ステップの撮像時における前記表示パネルのピクセルと前記カメラの画素との対応関係を算出し、前記表示パネルの所定のピクセルが点灯して構成された第２アライメントパターンをデフォーカスして撮像し、該第２アライメントパターンが投影される前記カメラの画素を検出して、前記デフォーカス画像撮像ステップの撮像時における前記表示パネルのピクセルと前記カメラの画素との対応関係を算出する制御部、を備えることを特徴とする。【００２９】
この構成によれば、フォーカス画像撮像ステップの撮像時の表示パネルのピクセルとカメラの画素とが適切に結びつけられるとともに、デフォーカス画像撮像ステップの撮像時の表示パネルのピクセルとカメラの画素とが適切に結びつけられる。【００３０】
これにより、ピクセルと画素との対応関係の適切な結びつけが行われて第１画像及び第２画像が生成されることから、良好な第３画像を生成することができる
【発明の効果】
【００３１】
この発明によれば、表示パネルの輝度を測定するに際し、モアレが適切に除去される一方で、解像度が良好な画像を合成することができる。
【図面の簡単な説明】
【００３２】
【図１】本発明の実施の形態に係る画像処理装置の概略を説明するブロック図である。
【図２】同じく、本実施の形態に係る画像処理装置のカメラで撮像された撮像画像の空間周波数の特性を示す概念図である。
【図３】同じく、本実施の形態に係る画像処理装置による画像処理を概念的に示す図である。
【図４】同じく、本実施の形態に係る画像処理装置による画像処理を概念的に示す図である。
【図５】同じく、本実施の形態に係る画像処理装置による画像処理を概念的に示す図である。
【図６】同じく、本実施の形態に係る画像処理装置のパターン発生部で発生されるアライメントパターンの概略を説明する図である。
【図７】同じく、本実施の形態に係る画像処理装置による画像処理作業のプロセスを示したフローチャートである。
【図８】同じく、本実施の形態に係る画像処理装置による画像処理を示す図である。
【発明を実施するための形態】
【００３３】
次に、本発明の実施の形態について、図１〜図８に基づいて説明する。なお、本実施の形態において、表示パネルが、画質調整型の有機ＥＬパネルである場合を例として説明する。
【００３４】
図１は、本実施の形態に係る画像処理装置の概略を説明するブロック図である。この画像処理装置の説明に先立って、本実施の形態の有機ＥＬパネルの概略を説明する。
【００３５】
有機ＥＬパネル２０は、Ｒ（赤）、Ｇ（緑）及びＢ（青）のサブピクセルを有するピクセルが周期的に配置されたディスプレイ２１を備える。このディスプレイ２１は、画像信号が入力されると、ＲＯＭ２２ａを内蔵した画質調整回路２２によって、後述する補正データに従った画像信号が出力されて、その表示ムラの低減が図られる。
【００３６】
画像処理装置１は、このような有機ＥＬパネル２０の製造工程の最終段階において、その画質を調整する装置であり、カメラ２、画像処理部３、パターン発生部４及びＲＯＭライタ５を備える。
【００３７】
カメラ２は、本実施の形態では、固体撮像素子（ＣＣＤ）を搭載したカメラによって構成され、有機ＥＬパネル２０の表示画像を撮像する。
【００３８】
このカメラ２は、有機ＥＬパネル２０と対向して撮像位置Ｘに配置され、この撮像位置Ｘにおいて、カメラ２の撮像面上（固体撮像素子上）に結像したピクセルの像のピッチ（ピクセルピッチ）が固体撮像素子の画素ピッチの整数倍（例えば１倍、２倍、３倍等）及び整数分の１倍（例えば１／２倍、１／３倍等）の近傍となるように、カメラ２の光学系が設定されることによって、有機ＥＬパネル２０の表示画像をフォーカスして撮像した際に発生するモアレが、撮像画像の低空間周波数領域（例えばナイキスト周波数の１／１０以下の領域）に集約されるようになっている。
【００３９】
画像処理部３は、カメラ２で撮像した画像を処理する装置であり、制御部１０、記憶部１１、ハイパスフィルタ１２、ローパスフィルタ１３、画像合成部１４及び補正データ生成部１５を備える。
【００４０】
パターン発生部４は、有機ＥＬパネル２０に所定のパターン画像（例えば、後述のアライメントパターンＰＡや輝度測定用パターン）を表示させ、ＲＯＭライタ５は、補正データ生成部１５において生成される後述の補正データを、画質調整回路２２に内蔵されたＲＯＭ２２ａに書き込む装置である。
【００４１】
次に、画像処理部３の各部の具体的な構成について説明する。
【００４２】
制御部１０は、画像処理部３の各部の制御を行うとともに、カメラ２による撮像、パターン発生部４による有機ＥＬパネル２０の画像表示及びＲＯＭライタ５によるＲＯＭ２２ａへの書込みを制御し、記憶部１１には、カメラ２による撮像画像等が記憶される。
【００４３】
ハイパスフィルタ１２は、カメラ２による撮像画像にモアレが発生した場合に、そのモアレに対応する低空間周波数領域の成分を除去又は低減させるもので、図２（ａ）に破線で示すフィルタ特性ｆ２を有し、例えばカメラ２によりフォーカスして撮像した画像が図３（ａ）に示すようなものであれば、これにハイパスフィルタ１２を適用すると図３（ｂ）に示すようになる。
【００４４】
一方、ローパスフィルタ１３は、ハイパスフィルタ１２で除去又は低減させた低空間周波数領域の成分を抽出するもので、図２（ｂ）に破線で示すフィルタ特性ｆ４を有し、例えばカメラ２によりデフォーカスして撮像した画像が図３（ａ）に対応する図４（ａ）に示すようなものであれば、これにローパスフィルタ１３を適用すると図４（ｂ）に示すようになる。
【００４５】
これらハイパスフィルタ１２及びローパスフィルタ１３は、本実施の形態では、図２（ｃ）で示すように、空間周波数領域が０からナイキスト周波数ｆＮまでの範囲に亘って、任意の空間周波数について「ハイパスフィルタの透過率＋ローパスフィルタの透過率＝１」が成立する相特性補償型の回路構成が採用される。
【００４６】
画像合成部１４は、ハイパスフィルタ１２を適用した画像と、ローパスフィルタ１３を適用した画像とを重ね合わせて、新たな画像を合成するもので、例えば図３（ｂ）に示す画像と図４（ｂ）に示す画像とを重ね合わせると、図５に示すような合成画像が生成される。
【００４７】
補正データ生成部１５は、画像合成部１４で合成された画像に基づいて（図３〜５は、フィルタ特性の説明の便宜のために例示したものであり、実際には、図５に示すような合成画像ではなく、後述する輝度測定用パターンの撮像により得られた合成画像に基づく）、画像信号の出力を調整することによって有機ＥＬパネル２０の輝度ムラを低減させる補正データを生成する。
【００４８】
次に、本実施の形態に係る画像処理装置１による画像処理作業について、画像処理装置１による処理作業のプロセスを示した図７のフローチャートに基づいて説明する。
【００４９】
まず、カメラ２が、撮像位置Ｘにおいて、ピクセルピッチが画素ピッチの整数倍近傍となるように予め設定された状態で、図示のように、制御部１０は、ステップＳ１において、有機ＥＬパネル２０に第１アライメントパターンとなるアライメントパターンＰＡを表示させる。
【００５０】
このアライメントパターンＰＡは、図６に示すように、ディスプレイ２１上で既知の位置にある特定のピクセルが点灯し、ドットＤが縦横に配列されることにより構成される。
【００５１】
ステップＳ２において、制御部１０は、有機ＥＬパネル２０に表示させたアライメントパターンＰＡをカメラ２でフォーカスして撮像する。アライメントパターンＰＡを撮像した後、ステップＳ３において、有機ＥＬパネル２０の全てのピクセルを点灯させ、ディスプレイ２１の全面にわたり輝度測定用パターンを表示させる。
【００５２】
ステップＳ４において、有機ＥＬパネル２０に表示させた輝度測定用パターンをカメラ２でフォーカスして撮像する（フォーカス画像撮像ステップ）。このように撮像した画像には、図８（ａ）に示すように、干渉縞であるモアレが低空間周波数領域に発生している。
【００５３】
一方、ステップＳ５において、アライメントパターンＰＡの撮像画像のドットＤが写るカメラ２の画素を検出する（第１アライメントステップ）。
【００５４】
すなわち、アライメントパターンＰＡを構成するピクセルは既知であるから、そのピクセルの像がカメラ２のどの画素に受光されるかを検出することによって、フォーカス撮像時のピクセルと画素との対応関係が求められる。
【００５５】
この求められた対応関係に基づいて、ステップＳ６において、フォーカスして撮像した画像にアライメント処理を行う。
【００５６】
ステップＳ７において、制御部１０は、ステップＳ６において得られたアライメント処理後の撮像画像にハイパスフィルタ１２を適用する。
【００５７】
ハイパスフィルタ１２を適用することによって、図２（ａ）に示したように、モアレＭが集約された部分の空間周波数成分ａ１がカットされて残余の空間周波数成分ａ２が抽出され、第１画像が生成される（第１画像生成ステップ）。
【００５８】
すなわち、図２（ａ）の実線で示す空間周波数ｆ１に、破線で示すフィルタ特性ｆ２を適用して、空間周波数ｆ１からモアレＭに対応する空間周波数成分ａ１をカットする。
【００５９】
生成された第１画像は、ステップＳ８において、記憶部１１に記憶される。
【００６０】
このように第１画像を生成した後、ステップＳ９において、有機ＥＬパネル２０に第２アライメントパターンとなるアライメントパターンＰＡを表示させる。
【００６１】
なお、本実施の形態では、第１アライメントパターンと第２アライメントパターンとが同じアライメントパターンＰＡである場合を説明しているが、第１アライメントパターンと第２アライメントパターンとで異なるアライメントパターンを用いてもよい。
【００６２】
ステップＳ１０において、有機ＥＬパネル２０に表示させたアライメントパターンＰＡをカメラ２でデフォーカスして撮像する。アライメントパターンＰＡを撮像した後、ステップＳ１１において、ステップＳ３と同様に、有機ＥＬパネル２０の全面に輝度測定用パターンを表示させる。
【００６３】
ステップＳ１２において、有機ＥＬパネル２０に表示させた輝度測定用パターンをカメラ２でデフォーカスして撮像する（デフォーカス画像撮像ステップ）。このように撮像した画像は、図８（ｂ）に示すように、解像度が低下している。
【００６４】
続いて、ステップＳ１３において、アライメントパターンＰＡの撮像画像のドットＤが写るカメラ２の画素を検出する（第２アライメントステップ）。
【００６５】
アライメントパターンＰＡを構成するピクセルの像がカメラ２のどの画素に受光されるかを検出してデフォーカス撮像時のピクセルと画素との対応関係が求められ、この対応関係に基づいて、ステップＳ１４において、デフォーカスして撮像した画像にアライメント処理を行う。
【００６６】
ステップＳ１５において、制御部１０は、ステップＳ１４において得られたアライメント処理後の撮像画像の空間周波数にローパスフィルタ１３を適用する。
【００６７】
ローパスフィルタ１３を適用することによって、図２（ｂ）に示すように、ハイパスフィルタ１２で除去した空間周波数成分ａ１に対応する空間周波数成分ｂ１が抽出されるとともに、残余の空間周波数成分ｂ２がカットされ、第２画像が生成される（第２画像生成ステップ）。
【００６８】
すなわち、図２（ｂ）の実線で示す空間周波数ｆ３に、破線で示すフィルタ特性ｆ４を適用して、空間周波数ｆ３から、空間周波数成分ｂ１が抽出された残余の空間周波数成分ｂ２をカットする。
【００６９】
生成された第２画像は、ステップＳ１６において、記憶部１１に記憶される。
【００７０】
このように、第１画像及び第２画像を生成した後、ステップＳ１７において、画像合成部１４により、第１画像と第２画像とが重ね合わせられる。
【００７１】
これにより、第３画像が合成され（第３画像生成ステップ）、輝度測定用パターンについてモアレを消失又は抑制させた画像が生成される。この第３画像とアライメントデータにより、有機ＥＬパネル２０を構成するピクセルの輝度が求められる。
【００７２】
なお、１ピクセルごとの輝度を測定する場合は、各画素に投影される部分のピクセルの輝度を、ピクセルが投影された部分の画素の出力を測定することによって、１ピクセルの輝度として測定してもよい。
【００７３】
一方、ステップＳ１８において、第３画像に基づいて補正データが生成され、ステップＳ１９において、生成された補正データがＲＯＭライタ５によって画質調整回路２２のＲＯＭ２２ａに書き込まれる。
【００７４】
ＲＯＭ２２ａに補正データが書き込まれることによって、有機ＥＬパネル２０に画質調整回路２２が実装される。
【００７５】
かかる画質調整回路２２を実装した有機ＥＬパネル２０では、画像信号が入力されると、画質調整回路２２によってＲＯＭ２２ａに書き込まれた補正データが参照され、参照された補正データに従った画像信号が出力され、有機ＥＬパネル２０の表示ムラの低減が図られる。
【００７６】
上記構成の画像処理装置１では、フォーカスして撮像した画像からモアレに相当する空間周波数成分ａ１を、ハイパスフィルタ１２を適用してカットして残余の空間周波数成分ａ２を抽出して第１画像を生成する。
【００７７】
一方、デフォーカスして撮像した画像にローパスフィルタ１３を適用して、ハイパスフィルタ１２で除去した空間周波数成分ａ１に対応する空間周波数成分ｂ１のみを抽出して、第２画像を生成する。
【００７８】
かかる第１画像及び第２画像が画像合成部１４によって重ね合わせられて、第１画像からモアレがカットされることによって損なわれた空間周波数成分ａ１が、第２画像から抽出された空間周波数成分ｂ１によって補間されて、モアレを消失又は抑制させた第３画像が生成される。
【００７９】
従って、モアレが適切に除去されたうえで、空間周波数成分ｂ１が補われて解像度が良好な第３画像を生成することができる。
【００８０】
しかも、本実施の形態では、ハイパスフィルタ１２とローパスフィルタ１３の透過率の和は、一定値である１となるように回路構成がなされる。
【００８１】
従って、空間周波数領域における空間周波数成分の抽出漏れがないことから、空間周波数成分の損失がなく、解像度の高い第３画像を生成することができる。
【００８２】
さらに、第３画像を合成するために用いられる第１画像及び第２画像を生成する際には、本実施の形態では、有機ＥＬパネル２０のピクセルとカメラ２の画素とのアライメントが決定されて第１画像及び第２画像が生成される。従って、ピクセルと画素との対応関係の適切な結びつけが行われて、良好な第３画像を生成することができる。
【００８３】
このように、有機ＥＬパネル２０の輝度を測定するに際して、モアレが適切に除去されかつ解像度が良好な第３画像が生成されることから、この第３画像に基づいて、適切な補正データを生成することができる。
【００８４】
その結果、正確に測定した輝度に基づいて生成された補正データによって、有機ＥＬパネル２０の画質が調整され、表示ムラの低減が図られる。これにより、個体ごとの製品のバラツキが抑制された有機ＥＬパネル２０を得ることができる。
【００８５】
なお、本発明は上記実施の形態に限定されることはなく、発明の趣旨を逸脱しない範囲で種々変更可能である。上記実施の形態では、画像をフォーカスする撮像及び画像をデフォーカスする撮像が、単一のカメラ２によって撮像される場合を説明したが、フォーカスする撮像及びデフォーカスする撮像をそれぞれ別個のカメラによって実行してもよい。
【００８６】
これにより、画像処理装置１による処理作業の工程作業時間（タクトタイム）が短縮化される。
【００８７】
上記実施の形態では、画像処理装置１が、有機ＥＬパネル２０の画質を調整する場合を説明したが、例えば、液晶パネルやプラズマディスプレイ、あるいは投影型のプロジェクタ等であってもよい。
【符号の説明】
【００８８】
１    画像処理装置
２    カメラ
３    画像処理部
４    パターン発生部
１０    制御部
１２    ハイパスフィルタ
１３    ローパスフィルタ
１４    画像合成部
１５    補正データ生成部
２０    有機ＥＬパネル（表示パネル）
ｆ１〜ｆ４    空間周波数
Ｍ    モアレ
Ｘ    撮像位置
【図１】
2016009493.tif 000003
【図２】
2016009493.tif 000004
【図３】
2016009493.tif 000005
【図４】
2016009493.tif 000006
【図５】
2016009493.tif 000007
【図６】
2016009493.tif 000008
【図７】
2016009493.tif 000009
【図８】
2016009493.tif 000010
【国際調査報告】
2016009493.tif 000011
2016009493.tif 000012
2016009493.tif 000013
2016009493.tif 000014